(57)【要約】【課題】水質浄化に十分な長さの水質浄化用カートリッジを収容可能としつつ、シャワーヘッド全体の長さを短くすることが可能であり、使用者が使いやすいシャワーヘッドを提供する。【解決手段】筒状把持部を有するシャワーヘッドであって、前記筒状把持部には、筒状の水質浄化用カートリッジを交換可能に収容する収容室と、前記筒状把持部の頭頂部を塞ぐ蓋部と、前記筒状把持部の外周面には、当該筒状把持部の下端部から流入し、前記水質浄化用カートリッジを通過させた水を外部に吐出する吐出口と、を備える。【選択図】図２
2020116056.tif 000002
【特許請求の範囲】
【請求項１】
筒状把持部を有するシャワーヘッドであって、
前記筒状把持部には、筒状の水質浄化用カートリッジを交換可能に収容する収容室と、
前記筒状把持部の頭頂部を塞ぐ蓋部と、
前記筒状把持部の外周面には、当該筒状把持部の下端部から流入し、前記水質浄化用カートリッジを通過させた水を外部に吐出する吐出口と、を備えることを特徴とするシャワーヘッド。
【請求項２】
前記筒状把持部には、
前記水質浄化用カートリッジの外周面と当該筒状把持部の内周面との間に形成され、前記水質浄化用カートリッジの内部に設けられた中央空間部から前記水質浄化用カートリッジを通過させた水を、前記吐出口へと到らせる浄水流路を備えることを特徴とする請求項１に記載のシャワーヘッド。
【請求項３】
前記筒状把持部には、
前記収容室の頭頂部側に設けられ、前記水質浄化用カートリッジを通過させた水を前記蓋部へ通過させる浄水流路を形成する仕切り板と、
前記収容室の側方に設けられ、前記蓋部により前記下端部側に流れを変えられた水を前記吐出口へ通過させる吐出流路を形成する壁部と、を備えることを特徴とする請求項１に記載のシャワーヘッド。
【請求項４】
前記筒状把持部には、
前記水質浄化用カートリッジの外周面と当該筒状把持部の内周面との間に形成される原水流路を備え、
前記仕切り板は、前記原水流路から前記水質浄化用カートリッジを通過させた水を、当該水質浄化用カートリッジの内部に設けられた中央空間部を経て前記蓋部へ通過させる浄水流路を形成する
ことを特徴とする請求項３に記載のシャワーヘッド。
【請求項５】
前記筒状把持部には、
前記水質浄化用カートリッジの内部に設けられた中央空間部に形成される原水流路を備え、
前記仕切り板は、前記原水流路から前記水質浄化用カートリッジを通過させた水を、前記水質浄化用カートリッジの外周面と当該筒状把持部の内周面との間を経て前記蓋部へ通過させる浄水流路を形成する
ことを特徴とする請求項３に記載のシャワーヘッド。
【発明の詳細な説明】
【技術分野】
【０００１】
この発明は、シャワーヘッドに関するものである。
【背景技術】
【０００２】
従来、水道水に含まれる塩素などを除去するために、胴部に水質浄化用カートリッジを収容したシャワーヘッドが存在する。
【先行技術文献】
【特許文献】
【０００３】
【特許文献１】特許第４２６４４８１号公報
【発明の概要】
【発明が解決しようとする課題】
【０００４】
しかし、特許文献１の技術のように、水質浄化用カートリッジを収容した胴部に噴出口を有する頭部を連結する場合には、水質浄化用カートリッジをシャワーヘッドの頭部にまで収容することができず、水質浄化用カートリッジの長さが短くなり、水質浄化の性能が弱くなる（不十分）という問題点があった。
【０００５】
また、水質浄化の性能を十分にするために、水質浄化用カートリッジの長さを長くすると、シャワーヘッド全体が長くなり、使用者が使いにくくなってしまうという問題点が発生しうる。
【０００６】
そこで、本発明は、水質浄化に十分な長さの水質浄化用カートリッジを収容可能としつつ、シャワーヘッド全体の長さを短くすることが可能であり、使用者が使いやすいシャワーヘッドを提供することを目的とする。
【課題を解決するための手段】
【０００７】
各請求項にそれぞれ記載された各発明は、上記した目的を達成するためになされたものであり、各発明の特徴点を図面に示した発明の実施の形態を用いて、以下に説明する。
本発明は、筒状把持部を有するシャワーヘッドであって、前記筒状把持部には、筒状の水質浄化用カートリッジを交換可能に収容する収容室と、前記筒状把持部の頭頂部を塞ぐ蓋部と、前記筒状把持部の外周面には、当該筒状把持部の下端部から流入し、前記水質浄化用カートリッジを通過させた水を外部に吐出する吐出口と、を備えることを特徴とする。
これにより、筒状把持部の長さ方向にわたって、水質浄化用カートリッジを収容することが可能となり、筒状把持部の内部スペースを有効活用することが可能となる。
また、シャワーヘッド全体の長さを短くすることが可能であり、使用者が使いやすいシャワーヘッドを提供することが可能となる。
【０００８】
また、本発明では、さらに、前記筒状把持部には、前記水質浄化用カートリッジの外周面と当該筒状把持部の内周面との間に形成され、前記水質浄化用カートリッジの内部に設けられた中央空間部から前記水質浄化用カートリッジを通過させた水を、前記吐出口へと到らせる浄水流路を備えることを特徴とする。
これにより、筒状把持部内の水路の形成を容易にすることができる。
【０００９】
また、本発明は、さらに、前記筒状把持部には、前記収容室の頭頂部側に設けられ、前記水質浄化用カートリッジを通過させた水を前記蓋部へ通過させる浄水流路を形成する仕切り板と、前記収容室の側方に設けられ、前記蓋部により前記下端部側に流れを変えられた水を前記吐出口へ通過させる吐出流路を形成する壁部と、を備えることを特徴とする。
これにより、水質浄化用カートリッジの下端部側から頭頂部側の広い部分について水を通過させることが可能となり、水質浄化用カートリッジの性能を十分に引き出すことができる。
【００１０】
また、本発明は、さらに、前記筒状把持部には、前記水質浄化用カートリッジの外周面と当該筒状把持部の内周面との間に形成される原水流路を備え、前記仕切り板は、前記原水流路から前記水質浄化用カートリッジを通過させた水を、当該水質浄化用カートリッジの内部に設けられた中央空間部を経て前記蓋部へ通過させる浄水流路を形成することを特徴とする。
これにより、水質浄化用カートリッジの中央空間部側の表面積よりも大きい表面積を有する外周面から水が入ることで、水質浄化用カートリッジの目詰まりをし難くすることができる。また、目詰まりしたときに水質浄化用カートリッジに加わる水圧が、水質浄化用カートリッジの内方に向くことで収縮側に働くため、水質浄化用カートリッジに与えるダメージを小さくすることができる。
【００１１】
また、本発明は、さらに、前記筒状把持部には、前記水質浄化用カートリッジの内部に設けられた中央空間部に形成される原水流路を備え、前記仕切り板は、前記原水流路から前記水質浄化用カートリッジを通過させた水を、前記水質浄化用カートリッジの外周面と当該筒状把持部の内周面との間を経て前記蓋部へ通過させる浄水流路を形成することを特徴とする。
これにより、筒状把持部内の水路の形成を容易にすることができる。
【発明の効果】
【００１２】
本発明によれば、水質浄化に十分な長さの水質浄化用カートリッジを収容可能としつつ、シャワーヘッド全体の長さを短くすることが可能なシャワーヘッドを提供することができる。
そして、シャワーヘッド全体の長さを短くすることで、使用者が使いやすくなる。
すなわち、本発明によれば、筒状把持部を従来と同じ長さにした場合は、筒状把持部に収容される水質浄化用カートリッジの長さを従来より長く形成することができ、水質浄水の性能を向上させることができる
一方、水質浄化用カートリッジを従来と同じ長さにした場合は、シャワーヘッドを従来より短くすることができ、水質浄化の性能はそのままで、使用者の操作性を向上させることができる。
【図面の簡単な説明】
【００１３】
【図１】シャワーヘッドの斜視図である。
【図２】第１の実施の形態にかかるシャワーヘッドの縦断面図である。
【図３】第２の実施の形態にかかるシャワーヘッドの縦断面図である。
【図４】第２の実施の形態にかかるシャワーヘッドの図３のＡ−Ａ線に沿って切断された状態を示す横断面図である。
【図５】第２の実施の形態にかかるシャワーヘッドの筒状把持部と仕切り板との接続を説明するための説明図である。
【図６】第２の実施の形態にかかる筒状把持部の平面図である。
【図７】第２の実施の形態にかかる仕切り板の平面図である。
【図８】第２の実施の形態にかかるホース接続部の平面図である。
【図９】第２の実施の形態にかかるホース接続部の縦断面図である。
【図１０】第３の実施の形態にかかるシャワーヘッドの縦断面図である。
【図１１】第３の実施の形態にかかるシャワーヘッドの筒状把持部と仕切り板との接続を説明するための説明図である。
【発明を実施するための形態】
【００１４】
（シャワーヘッド１０）
本明細書では、各説明箇所において、方向についての定義等が示されていない場合には、シャワーヘッド１０に接続されるホース側を下端部側、当該下端部側の反対側を頭頂部側とする。
【００１５】
本実施の形態に係るシャワーヘッド１０を、以下、図１、図２を参照しながら説明する。
なお、シャワーヘッド１０は、代表的には浴室で使用されるものであるが、これに限定されず、洗面所や台所など水（湯を含む）を吐出可能なものであれば使用場所や用途は問わない。
【００１６】
（第１の実施の形態）
本実施の形態におけるシャワーヘッド１０は、図１、図２に示すように、筒状把持部１００と、ホース接続部２００と、水質浄化用カートリッジ３００と、を有する。
【００１７】
（筒状把持部１００）
筒状把持部１００は、図２に示すように、中空の棒状であって、断面円形の筒状に形成され、収容室１４０と、蓋部１１０と、吐出口１２０とを備えるものである。
なお、断面円形の円筒に限定されず、楕円や、角筒などであっても良い。
【００１８】
（収容室１４０）
収容室１４０は、図２に示すように、水質浄化用カートリッジ３００を交換可能に収容するものであり、水質浄化用カートリッジ３００の長さ方向Ｌとほぼ同じ長さに形成される。
この水質浄化用カートリッジ３００を収容室１４０に収容した筒状把持部１００では、水質浄化用カートリッジ３００の外周面と筒状把持部１００の内周面との間に形成された隙間を、水質浄化用カートリッジ３００の内部に設けられた中央空間部３１０から水質浄化用カートリッジ３００に通過させた水を吐出口１２０へ到らせる浄水流路Ｃとして利用する。
【００１９】
（蓋部１１０）
筒状把持部１００には、両端部に開口部１０１，１０２を有し、下端部側の開口部１０２には、シャワーホースＨが接続可能なホース接続部２００が連結される。
そして、下端部側にホース接続部２００を介してシャワーホースＨに接続される。
かかる頭頂部側の開口部１０１には、当該開口部１０１を塞ぐ円盤状の蓋部１１０が接着剤などにより接続され、筒状把持部１００に収容された水質浄化用カートリッジ３００の頭頂部側を支持し、筒状把持部１００に流入した水が筒状把持部１００内で滞留するようにしている。
なお、蓋部１１０は、接着剤により開口部１０１に接続される場合に限定されず、超音波溶着や、Ｏリングにより水漏れを防止した螺合等であっても良い。
【００２０】
（吐出口１２０）
吐出口１２０は、筒状把持部１００の頭頂部側から長さ方向Ｌの略中央側の外周面の一部に備えられる。
かかる吐出口１２０は、複数の孔が開けられており、水質浄化用カートリッジ３００を通過させた水を外部に吐出するものである。
吐出口１２０は、浄水流路Ｃと接続され、浄水流路Ｃを流れる水が吐出口１２０から外部に吐出するようにされている。
【００２１】
（ホース接続部２００）
ホース接続部２００は、図１、図２に示すように、シャワーホースＨをシャワーヘッド１０に接続するものである。
かかるホース接続部２００は、図２に示すように、中央部に原水が流れる接続部流路Ｕを有する環状体２１０と、環状体２１０の内面に設けられた雌ねじ部２２０とを備え、筒状把持部１００の下端部側に設けられた雄ねじ部１３０と螺合可能に形成されている。
そして、ホース接続部２００は、筒状把持部１００に収容される水質浄化用カートリッジ３００の下端部側を支持している。
水質浄化用カートリッジ３００の交換は、筒状把持部１００とホース接続部２００とのねじによる結合を解除することによって可能となっている。
【００２２】
（水質浄化用カートリッジ３００）
水質浄化用カートリッジ３００は、図２に示すように、筒状に形成され、中心部に、下端側から上端側へ貫通する中央空間部３１０を備える。
ここで、中央空間部３１０は、原水（水道水）を通過させる原水流路Ｔを形成する。
【００２３】
そして、水質浄化用カートリッジ３００は、筒状把持部１００の長さ方向Ｌにほぼ等しい長さに形成されている。
具体的には、筒状把持部１００の下端部側のホース接続部２００と接触する位置から、頭頂部側の蓋部１１０に接触する位置までの長さに形成されている。
すなわち、水質浄化用カートリッジ３００をホース接続部２００と蓋部１１０とで挟むことで、筒状把持部１００内で動かないように支持されている。
【００２４】
また、水質浄化用カートリッジ３００の外径は、水質浄化用カートリッジ３００の外周面と筒状把持部１００の内周面との間に水が流れる浄水流路Ｃを形成するように、筒状把持部１００の内周面の内径よりも小さくなるように形成されている。
【００２５】
ここで、水質浄化用カートリッジ３００では、原水（水道水）が、まず中央空間部３１０に流入するようにしている。
中央空間部３１０に流入した原水は、中央空間部３１０から浄水流路Ｃを通過することで浄水となり、吐出口１２０から外部に吐出される。
【００２６】
ここで、水質浄化用カートリッジ３００は、活性炭や亜硫酸カルシウムなどの吸着剤を不織布により包んで構成されたものが代表的であるが、原水中の遊離残留塩素や異物、臭い等を除去可能なものであれば種類を問わない。
【００２７】
（本実施の形態における水の流れ）
本実施の形態における水の流れの一例について図２を用いて説明する。
まず、シャワーホースＨから原水が接続部流路Ｕに流入する（矢印１）。
接続部流路Ｕから筒状把持部１００に流入した原水は、水質浄化用カートリッジ３００の中央空間部３１０に入る（矢印２）。
【００２８】
そして、水質浄化用カートリッジ３００の中央空間部３１０に入った原水は、中央空間部３１０から水質浄化用カートリッジ３００を通過して筒状把持部１００と水質浄化用カートリッジ３００との間に形成される浄水流路Ｃに入る（矢印３）。
浄水流路Ｃに入った浄水は、当該浄水流路Ｃと接続される吐出口１２０からシャワーヘッド１０の外部に吐出される（矢印４）。
【００２９】
本実施の形態によれば、筒状把持部１００の長さ方向Ｌにわたって、水質浄化用カートリッジ３００を収容することが可能となり、筒状把持部１００の内部スペースを有効活用することが可能となる。
また、シャワーヘッド１０全体の長さを短くすることが可能であり、使用者が使いやすいシャワーヘッド１０を提供することが可能となる。
【００３０】
また、本実施の形態によれば、筒状把持部１００内の水路の形成を容易にすることができる。
【００３１】
（第２の実施の形態）
つぎに、図３〜図９を用いて、第２の実施の形態について説明する。
上述した第１の実施の形態は、水質浄化用カートリッジ３００を通過した浄水をそのまま筒状把持部１００の外周面に設けられた吐出口１２０から外部に吐出させるものであるが、本第２の実施の形態は、水質浄化用カートリッジ３００を通過した浄水を筒状把持部１００の頭頂部側まで到達させた後に、流れを変えて筒状把持部１００の外周面に設けられた吐出口１２０から外部に吐出するようにするものである。
【００３２】
また、上述した第１の実施の形態は、筒状把持部１００に流入した原水（水道水）が最初に水質浄化用カートリッジ３００の中央空間部３１０に入るが、本第２の実施の形態では、筒状把持部１００に流入した原水が、水質浄化用カートリッジ３００の中央空間部３１０に入ることはなく、水質浄化用カートリッジ３００の外周面と筒状把持部１００の内周面との間の流路に入るようにしている。
以下、上述した第１の実施の形態と異なる部分を中心に説明し、重複する部分については説明を簡略又は省略する。
【００３３】
（筒状把持部１００）
本実施の形態の筒状把持部１００には、図３〜図５に示すように、収容室１４０と、蓋部１１０と、仕切り板１４１と、壁部１４４とを備える。
【００３４】
（収容室１４０）
収容室１４０は、図３〜図５に示すように、水質浄化用カートリッジ３００を交換可能に収容するものであり、水質浄化用カートリッジ３００の長さ方向Ｌとほぼ同じ長さに形成される。
【００３５】
（仕切り板１４１）
収容室１４０の頭頂部側には、図３、図５、図７に示すように、蓋部１１０と収容室１４０とを仕切るための仕切り板１４１を備える。
仕切り板１４１は、図５に示すように、頭頂部側に立設する側縁部１４１ａを有するシャーレ状に形成され、蓋部１１０より収容室１４０の長さ方向Ｌの中央側で開口部１０１を塞いでいる。
なお、仕切り板１４１は、側縁部１４１ａを有さず、平面の円盤状であっても良い。
【００３６】
仕切り板１４１は、水質浄化用カートリッジ３００の頭頂部側端部を支持し、中央部に貫通孔１４２を備える。
貫通孔１４２は、図３、図５に示すように、水質浄化用カートリッジ３００の中央空間部３１０と接続されるものである。
また、貫通孔１４２の径１４２Ｒの大きさは、図３に示すように、水質浄化用カートリッジ３００の頭頂部側端部に設けられた中央空間部３１０の径３１０Ｒの大きさより大きく形成されており、水質浄化用カートリッジ３００の中央空間部３１０からの浄水を蓋部１１０側に通過させるようにしている。
そして、かかる仕切り板１４１と蓋部１１０との間の水路は、水質浄化用カートリッジ３００を通過させた水を、当該水質浄化用カートリッジ３００の内部に設けられた中央空間部を３１０を経て蓋部１１０へ通過させる浄水流路Ｃの一部を形成するものである。
【００３７】
仕切り板１４１の外縁側には、図３、図５、図７に示すように、外縁に沿って、吐出口１２０へつながる円弧状のスリット１４３が設けられる。
ここで、スリット１４３の断面積は、絞り部として機能させるため、小さくすることが望ましい。このように形成することで、浄水が吐出口１２０の各孔から均等に出やすくなる。
【００３８】
（壁部１４４）
また、図３〜図５に示すように、吐出口１２０の径方向内側であって、収容室１４０の側方の一部には、筒状把持部１００の内周面との間に、吐出流路Ｓを形成するための壁部１４４を備える。
壁部１４４は、収容室１４０の頭頂部から下端部側にかけて筒状把持部１００を長さ方向Ｌに区切るものであり、収容室１４０から吐出流路Ｓへは原水が直接流入せず、必ず浄水流路Ｃを経て吐出流路Ｓへ流入するようにしている。
このように壁部１４４により区切られた吐出流路Ｓは、仕切り板１４１のスリット１４３と接続され、蓋部１１０によって流れを変えられた水を吐出口１２０へ通過させるものである。
【００３９】
（蓋部１１０）
蓋部１１０は、図３、図５に示すように、筒状把持部１００の頭頂部側の開口部１０１に仕切り板１４１を介して接続され、当該開口部１０１を塞ぎ、筒状把持部１００の頭頂部に到達した水質浄化用カートリッジ３００を通過した水の流れを下端部側方向に変えるものである。
具体的には、水質浄化用カートリッジ３００の中央空間部３１０に接続される仕切り板１４１の貫通孔１４２から流入した浄水の流れを変えるものである。
そして、仕切り板１４１との間の流路で浄水流路Ｃの一部を形成する。
【００４０】
（水質浄化用カートリッジ３００）
水質浄化用カートリッジ３００は、図３に示すように、筒状に形成され、中心部に、下端側から上端側へ貫通する中央空間部３１０を備える。
かかる中央空間部３１０は、浄水流路Ｃの一部を形成する。
そして、水質浄化用カートリッジ３００は、筒状把持部１００の長さ方向Ｌにほぼ等しい長さに形成されている。
具体的には、筒状把持部１００の下端部側のホース接続部２００と接触する位置から、頭頂部側の仕切り板１４１に接触する位置までの長さに形成されている。
また、水質浄化用カートリッジ３００の外径は、水質浄化用カートリッジ３００の外周面と筒状把持部１００の内周面との間に原水が流れる原水流路Ｔを形成するように、筒状把持部１００の内周面の内径よりも小さくなるように形成されている。
【００４１】
中央空間部３１０の下端側の端部には、図３に示すように、水質浄化用カートリッジ３００の下端部側端面の直径にほぼ対応するカバー部材３２０を備え、中央空間部３１０の下端部側を塞ぎ、原水が中央空間部３１０の下端部側から入らないようにしている。
【００４２】
また、カバー部材３２０は、径方向においてホース接続部２００の内周面との間に隙間が形成される大きさに構成されており、下端部側から筒状把持部１００に流入した水が、水質浄化用カートリッジ３００の外周面と筒状把持部１００の内周面との間に形成される原水流路Ｔに流れ込むようにしている。
そして、原水流路Ｔに流れ込んだ水を、水質浄化用カートリッジ３００に通過させ、水質浄化用カートリッジ３００の中央空間部３１０を経て頭頂部側へと到達させる浄水流路Ｃに流れ込むようにしている。
【００４３】
（吐出流路Ｓ）
吐出流路Ｓは、図３〜図５に示すように、収容室１４０の側方に設けられ、収容室１４０の壁部１４４の外周と、吐出口１２０とに挟まれた空間であり、蓋部１１０により流れを変えられた水を吐出口１２０へ通過させるものである。
【００４４】
（ホース接続部２００）
ホース接続部２００の環状体２１０には、図３、図８に示すように、原水が流れる接続部流路Ｕの周囲に、頭頂部側に突出する複数個の突起２３０を備える。
かかる突起２３０は、水質浄化用カートリッジ３００のカバー部材３２０と当接して長さ方向Ｌにおいて隙間を生じさせることにより、筒状把持部１００に流入した原水が、水質浄化用カートリッジ３００の外周面と筒状把持部１００の内周面との間に形成される原水流路Ｔに流れ込むようにしている。
そして、ホース接続部２００の突起２３０により、筒状把持部１００に収容される水質浄化用カートリッジ３００の下端部側を支持している。
【００４５】
なお、ホース接続部２００に突起２３０を設けることで原水流路Ｔに原水が流れ込むようにする場合に限定されず、水質浄化用カートリッジ３００を、突起２３０と接触する位置から頭頂部側の仕切り板１４１に接触する位置までの長さよりも僅かに短く形成し、原水の水圧により水質浄化用カートリッジ３００が頭頂部側へ移動することで隙間を生じさせて、筒状把持部１００に流入した原水が原水流路Ｔに流れ込むようにしても良い。
【００４６】
（本実施の形態における水の流れ）
本実施の形態における水の流れの一例について図３を用いて説明する。
まず、シャワーホースＨから原水が接続部流路Ｕに流入する（矢印１）。
接続部流路Ｕから筒状把持部１００に流入した原水は、水質浄化用カートリッジ３００のカバー部材３２０により流れを変えられ、ホース接続部２００の突起２３０による隙間を経由して、水質浄化用カートリッジ３００の外周面と筒状把持部１００の内周面との間に形成される原水流路Ｔに入る（矢印２）。
【００４７】
そして、原水流路Ｔに入った原水は、原水流路Ｔから水質浄化用カートリッジ３００を通過して浄水流路Ｃの一部を形成する中央空間部３１０に入る（矢印３）。
中央空間部３１０に入った浄水は、当該中央空間部３１０と接続される仕切り板１４１の貫通孔１４２を通過し、頭頂部に到達する（矢印４）。
頭頂部に到達した水は、蓋部１１０により流れを変えられて、スリット１４３から吐出流路Ｓに入る（矢印５）。
そして、吐出流路Ｓを通過して吐出口１２０からシャワーヘッド１０の外部に吐出される（矢印６）。
【００４８】
本実施の形態によれば、筒状把持部１００の長さ方向Ｌにわたって、水質浄化用カートリッジ３００を収容することが可能となり、筒状把持部１００の内部スペースを有効活用することが可能となる。
また、シャワーヘッド１０全体の長さを短くすることが可能であり、使用者が使いやすいシャワーヘッド１０を提供することが可能となる。
【００４９】
また、本実施の形態によれば、水質浄化用カートリッジ３００の下端部側から頭頂部側の広い部分について水を通過させることが可能となり、水質浄化用カートリッジ３００の性能を十分に引き出すことができる。
【００５０】
また、本実施の形態によれば、水質浄化用カートリッジ３００の中央空間部３１０側の表面積よりも大きい表面積を有する外周面から水が入ることで、水質浄化用カートリッジ３００の目詰まりをし難くすることができる。また、目詰まりしたときに水質浄化用カートリッジ３００に加わる水圧が、水質浄化用カートリッジ３００の内方に向くことで収縮側に働くため、水質浄化用カートリッジ３００に与えるダメージを小さくすることができる。
【００５１】
（第３の実施の形態）
つぎに、図１０、図１１を用いて、第３の実施の形態について説明する。
上述した第１の実施の形態は、水質浄化用カートリッジ３００を通過した浄水をそのまま筒状把持部１００の外周面に設けられた吐出口１２０から外部に吐出させるものであるが、本第３の実施の形態は、上述した第２の実施の形態と同様、水質浄化用カートリッジ３００を通過した浄水を筒状把持部１００の頭頂部側まで到達させた後に、流れを変えて筒状把持部１００の外周面に設けられた吐出口１２０から外部に吐出するようにするものである。
【００５２】
また、上述した第２の実施の形態では、筒状把持部１００に流入した原水が最初に水質浄化用カートリッジ３００の中央空間部３１０に入ることはなく、水質浄化用カートリッジ３００の外周面と筒状把持部１００の内周面との間の流路に入るようにしているが、本第３の実施の形態では、筒状把持部１００に流入した原水（水道水）が、水質浄化用カートリッジ３００の中央空間部３１０に入るようにしている。
以下、上述した第２の実施の形態と異なる部分を中心に説明し、重複する部分については説明を簡略又は省略する。
【００５３】
（仕切り板１４１）
仕切り板１４１と蓋部１１０との間の水路は、水質浄化用カートリッジ３００の内部に設けられた中央空間部３１０に形成される原水流路から水質浄化用カートリッジ３００を通過させた水を、水質浄化用カートリッジ３００の外周面と筒状把持部１００の内周面との間を経て蓋部１１０へ通過させる浄水流路Ｃを形成するものである。
仕切り板１４１には、スリット１４３とは異なる外縁側の位置に貫通孔１５０を備える。
貫通孔１５０は、図１０、図１１に示すように、仕切り板１４１の外縁に沿って円弧状に形成され、水質浄化用カートリッジ３００の外周面と筒状把持部１００の内周面との間の浄水流路Ｃと接続されるものである。
【００５４】
（水質浄化用カートリッジ３００）
水質浄化用カートリッジ３００は、図１０に示すように、筒状に形成され、中心部に、下端側から上端側へ貫通する中央空間部３１０を備える。
【００５５】
ここで、水質浄化用カートリッジ３００では、原水（水道水）が、まず中央空間部３１０に流入するようにしている。
中央空間部３１０に流入した原水は、中央空間部３１０から浄水流路Ｃに通過することで浄水となり、頭頂部側へと到達させる浄水流路Ｃに流れ込むようにしている。
【００５６】
（本実施の形態における水の流れ）
本実施の形態における水の流れの一例について図１０を用いて説明する。
まず、シャワーホースＨから原水が接続部流路Ｕに流入する（矢印１）。
接続部流路Ｕから筒状把持部１００に流入した原水は、原水流路Ｔの一部を形成する水質浄化用カートリッジ３００の中央空間部３１０（矢印２）に入る。
【００５７】
そして、原水流路Ｔに入った原水は、原水流路Ｔから水質浄化用カートリッジ３００を通過して水質浄化用カートリッジ３００の外周面と筒状把持部１００の内周面との間に形成される浄水流路Ｃに入る（矢印３）。
浄水流路Ｃに入った浄水は、当該浄水流路Ｃと接続される仕切り板１４１の貫通孔１５０を通過し、頭頂部に到達する（矢印４）。
頭頂部に到達した水は、蓋部１１０により流れを変えられて、スリット１４３から吐出流路Ｓに入る（矢印５）。
そして、吐出流路Ｓを通過して吐出口１２０からシャワーヘッド１０の外部に吐出される（矢印６）。
【００５８】
本実施の形態によれば、筒状把持部１００の長さ方向Ｌにわたって、水質浄化用カートリッジ３００を収容することが可能となり、筒状把持部１００の内部スペースを有効活用することが可能となる。
また、シャワーヘッド１０全体の長さを短くすることが可能であり、使用者が使いやすいシャワーヘッド１０を提供することが可能となる。
【００５９】
また、本実施の形態によれば、水質浄化用カートリッジ３００の下端部側から頭頂部側の広い部分について水を通過させることが可能となり、水質浄化用カートリッジ３００の性能を十分に引き出すことができる。
【００６０】
また、本実施の形態によれば、筒状把持部１００内の水路の形成を容易にすることができる。
【００６１】
（その他）
なお、上記の実施形態では、筒状把持部１００の内部スペースを有効活用するために、収容室１４０と、水質浄化用カートリッジ３００とを、筒状把持部１００の長さ方向にほぼ等しい長さとして説明したが、収容室１４０と、水質浄化用カートリッジ３００との長さを限定するものではなく、長さを筒状把持部１００の長さ方向の長さよりも短くしても良い。
【符号の説明】
【００６２】
（第１の実施の形態）
１０  シャワーヘッド          １００  筒状把持部
１０１、１０２  開口部        １１０  蓋部
１２０  吐出口                １３０  雄ねじ部
２００  ホース接続部          ２１０  環状体
２２０  雌ねじ部              ３００  水質浄化用カートリッジ
３１０  中央空間部            Ｕ  接続部流路
Ｃ  浄水流路                  Ｔ  原水流路
Ｈ  シャワーホース
（第２の実施の形態）
１４０  収容室                １４１  仕切り板
１４１ａ  側縁部              １４２  貫通孔
１４３  スリット              １４４  壁部
２３０  突起                  ３２０  カバー部材
Ｓ  吐出流路
（第３の実施の形態）
１５０  貫通孔
【図１】
2020116056.tif 000003
【図２】
2020116056.tif 000004
【図３】
2020116056.tif 000005
【図４】
2020116056.tif 000006
【図５】
2020116056.tif 000007
【図６】
2020116056.tif 000008
【図７】
2020116056.tif 000009
【図８】
2020116056.tif 000010
【図９】
2020116056.tif 000011
【図１０】
2020116056.tif 000012
【図１１】
2020116056.tif 000013